(57)【要約】【課題】  包装材料が少なく、容易に開封でき、複数段積み重ねても型崩れしにくい棒状飯用包装箱を提供する。【解決手段】  板状体と二枚の内装シートの間にシート状食品を挟んだ包装シート２を折り曲げ加工して箱体を形成し、前記箱体の内部に棒状飯３を収納した棒状飯用包装箱１において、前記板状体は、分断可能部、掴み片、複数枚の側面蓋片、複数個の長方形面及び複数本の折り線を有し、前記二枚の内装シートは、前記板状体の上で横方向の一方の端部を互いに重ね合わせ、前記板状体ど前記二枚の内装シートは、前記二枚の内装シートの外周部で接着している。【選択図】図１
2012206779.tif 000002
【特許請求の範囲】
【請求項１】
一枚の板状体と二枚の内装フィルムの間にシート状食品を挟んだ包装シートを複数回折り曲げて箱体を形成し、該箱体の内部に棒状飯を収納している棒状飯用包装箱において、該板状体は、長手方向の略中央部にて幅方向に沿って分断可能部を有し、長手方向の少なくとも一方の端部に掴み片を有し、幅方向の両端部に複数枚の側面蓋片を有し、該内装フィルムは、内端部を互いに重ね合わせ、該板状体と該内装フィルムは、該内装フィルムの内端部を除いた外周部で接着している、棒状飯用包装箱。
【請求項２】
前記掴み片は、前記板状体の幅方向に沿って山折りに折り曲げている、請求項１に記載の棒状飯用包装箱。
【請求項３】
前記包装シートは、前記板状体の幅方向に沿って複数回谷折りに折り曲げて棒状飯の周囲に巻き、巻き始め側の外面と巻き終わり側の内面を互いに重ね合わせ、巻き終わり側の端部をラベル等で止着し、横断面を多角形形状に形成している、請求項１又は２に記載の棒状飯用包装箱。
【請求項４】
前記側面蓋片の一部又は全部は、前記板状体の長手方向に沿って谷折りに折り曲げ、隣接する側面蓋片を互いに重ね合わせることにより略固定し、側面を多角形形状に形成している、請求項１〜３のいずれかに記載の棒状飯用包装箱。
【発明の詳細な説明】
【技術分野】
【０００１】  本発明は、包装材料が少なく、容易に開封でき、複数段積み重ねても型崩れしにくい棒状飯用包装箱に関するものである。
【背景技術】
【０００２】  従来の棒状飯用包装シート２１について、図面に基づいて説明する。図８に示すのは、棒状飯用包装シート２１の分解図である。外装フィルム７は、一枚の長方形フィルム片であり、長手方向の略中央部にて幅方向に沿ってカットテープ等で形成し、外装フィルム７とラベル（図示せず）を分断する分断可能部５１を有している。二枚の内装フィルム８１、８２は、二枚の長方形フィルム片であり、内端部を互いに重ね合わせ、外装フィルム７と同じ大きさに形成している。補助フィルム９は、一枚の長方形フィルム片であり、一方の内装フィルム８１と互いに重ね合わせ、一方の内装フィルム８１の幅方向の両端から大きくはみ出たはみ出し部を有している。外装フィルム７、二枚の内装フィルム８１、８２及び補助フィルム９は、外装フィルム７と二枚の内装フィルム８１、８２の間に挟んだシート状食品４に干渉しないように接着して繋がっている。【０００３】  図９、図１０に示すように、棒状飯３の包装は、補助フィルム９の上に棒状飯３を載置し、補助フィルム９のはみ出し部を棒状飯３の側面に被せ、棒状飯用包装シート２１を棒状飯３の周囲に巻き、棒状飯用包装シート２１の巻き終わり側の端部をラベル（図示せず）で止着している。【０００４】  包装した棒状飯３の開封は、分断可能部５１のカットテープを外し、外装フィルム７とラベル（図示せず）を分断する。棒状飯用包装シート２１の巻き終わり側を展開して外側に引っ張ると外装フィルム７の略半分と一方の内装フィルム８２が一緒に引き剥がされ、シート状食品４の一部が露出する。補助フィルム９を展開し、棒状飯用包装シート２１の巻き始め側を展開して棒状飯３を転がす等により露出したシート状食品４の上に移動し、露出したシート状食品４を棒状飯３の周囲に巻く。外装フィルム７の略半分と一方の内装フィルム８１の間から残りのシート状食品４を引き出し、引き出したシート状食品４を既に棒状飯３に巻いているシート状食品４の上に巻き、棒状飯３を食べることができる。
【発明の概要】
【発明が解決しようとする課題】
【０００５】  従来の棒状飯用包装シート２１は、包装材料が多いため棒状飯３を食べた後に出るゴミの量が多く、多くの開封作業を要するため包装した棒状飯３の開封が面倒であり、柔らかい外装フィルム７、二枚の内装フィルム８１、８２及び補助フィルム９で形成しているため、包装した棒状飯３を複数段積み重ねると包装した棒状飯３が型崩れし易いという問題があった。【０００６】  本発明は、上記問題を解決できる棒状飯用包装箱を明らかにするものである。
【課題を解決するための手段】
【０００７】  本発明の棒状飯用包装箱は、一枚の板状体と二枚の内装フィルムの間にシート状食品を挟んだ包装シートを複数回折り曲げて箱体を形成し、該箱体の内部に棒状飯を収納している棒状飯用包装箱において、該板状体は、長手方向の略中央部にて幅方向に沿って分断可能部を有し、長手方向の少なくとも一方の端部に掴み片を有し、幅方向の両端部に複数枚の側面蓋片を有し、該内装フィルムは、内端部を互いに重ね合わせ、該板状体と該内装フィルムは、該内装フィルムの内端部を除いた外周部で接着している。【０００８】  又、前記本発明の棒状飯用包装箱において、前記掴み片は、前記板状体の幅方向に沿って山折りに折り曲げている。【０００９】  又、前記本発明の棒状飯用包装箱において、前記包装シートは、前記板状体の幅方向に沿って複数回谷折りに折り曲げて棒状飯の周囲に巻き、巻き始め側の外面と巻き終わり側の内面を互いに重ね合わせ、巻き終わり側の端部をラベル等で止着し、横断面を多角形形状に形成している。【００１０】  又、前記本発明の棒状飯用包装箱において、前記側面蓋片の一部又は全部は、前記板状体の長手方向に沿って谷折りに折り曲げ、隣接する側面蓋片を互いに重ね合わせることにより略固定し、側面を多角形形状に形成している。
【発明の効果】
【００１１】  本発明の棒状飯用包装箱は、従来の棒状飯用包装シートで使用している補助フィルムと分断可能部のカットテープをなくし、一枚の板状体、二枚の内装フィルム及びラベル等により箱体を形成している。これにより、本発明の棒状飯用包装箱は、従来の棒状飯用包装シートに比べ、包装材料が少ないため棒状飯を食べた後に出るゴミの量を減らすことができ、開封作業が省けるため容易に開封でき、箱体を形成しているため複数団積み重ねても型崩れしにくくすることができる。
【図面の簡単な説明】
【００１２】
【図１】本発明の棒状飯用包装箱の一実施態様を示す斜視図
【図２】包装シートを示す分解斜視図
【図３】図１に示す棒状飯用包装箱を展開した状態の包装シートを示す正面図
【図４】一方の内装フィルムの上に棒状飯を載置した状態を示す斜視図
【図５】棒状飯用包装箱を形成する途中の状態を示す斜視図
【図６】包装シートの巻き終わり側を外側に引っ張っている状態を示す断面図
【図７】包装シートの巻き始め側を外側に引っ張っている状態を示す断面図
【図８】棒状飯用包装シートを示す分解斜視図
【図９】補助フィルムの上に棒状飯を載置した状態を示す斜視図
【図１０】包装した棒状飯の開封の状態を示す断面図
【発明を実施するための形態】
【００１３】  この発明の実施形態について図面に基づいて説明する。図１は、本発明の棒状飯用包装箱の一実施態様を示す図であり、棒状飯用包装箱１を形成した状態を示す図である。図２は、包装シート２を示す分解図である。図３は、図１に示す棒状飯用包装箱１を展開した状態の包装シート２を示す図であり、包装シート２を裏側（棒状飯用包装箱１の内側）から見た図である。
【００１４】  図１に示すように、棒状飯用包装箱１は、包装シート２を複数回折り曲げて箱体を形成し、箱体の内部に棒状飯３を収納している。棒状飯用包装箱１は、実施例では八角柱体であり、高さが約４２ｍｍ、長さが約１１０ｍｍ、側面の一辺の長さが約１７ｍｍである。棒状飯３は、実施例では円柱体であり、直径が約４０ｍｍ、長さが約１００ｍｍである。
【００１５】  図２に示すように、包装シート２は、一枚の板状体５と二枚の内装フィルム８１、８２の間にシート状食品４を挟んで形成している。シート状食品４は、実施例ではシート状海苔（以下、単に「海苔」とする）であり、長さが約１７０ｍｍ、幅が約１００ｍｍである。一枚の板状体５は、実施例では長さが約２２０ｍｍ、幅が約１９２ｍｍである。二枚の内装フィルム８１、８２のそれぞれは、実施例では長さが約１１０ｍｍの正方形フィルム片である。
【００１６】  図３に示すように、一枚の板状体５は、長手方向の略中央部にて幅方向に沿って分断可能部５１を有し、幅方向に沿って延びる折り線６Ａ〜６Ｋ（図３、図４において、鎖線で表示）と長手方向に沿って延びる折り線６Ｌ、６Ｍ（図３、図４において、鎖線で表示）を有している。一枚の板状体５は、分断可能部５１と折り線６Ａ〜６Ｍによって、互いに隣接した長方形面５Ａ〜５Ｌ、掴み片５００及び側面蓋片５０１〜５１６に分割され、長方形面５Ａに掴み片５００が隣接し、長方形面５Ｃ〜５Ｊに側面蓋片５０１〜５０８と側面蓋片５０９〜５１６が隣接している。一枚の板状体５は、端部の輪郭が丸みを帯びた曲線で形成しても良い。又、一枚の板状体５は、長方形面５Ａ、５Ｂの一方又は両方に隣接し、棒状飯用包装箱１を形成した時に棒状飯３の側面の略中心部を被う側面蓋片を設けても良い。
【００１７】  一枚の板状体５の材質は、折り曲げ可能であり、フィルムと接着可能であり、包装箱として使用可能なものであれば何でも良い。例えば、クラフト紙、合成紙、プラスチックシート等が挙げられる。一枚の板状体５は、棒状飯用包装箱１の内部に収納している棒状飯３の側面が視認可能な透明のもの、厚みが０．２ｍｍ〜０．５ｍｍ程度のものが好ましい。
【００１８】  分断可能部５１は、実施例では断続的な切り込みを施して形成している。
【００１９】  側面蓋片５０１〜５１６のそれぞれは、実施例では等脚台形であり、高さが約１６ｍｍ、上底の長さが約３１ｍｍ、下底の長さが約４４ｍｍ、内角が約６７．５°と約１１２．５°である。側面蓋片５０１〜５１６は、端部の輪郭が丸みを帯びた曲線で形成しても良い。
【００２０】  二枚の内装フィルム８１、８２は、実施例では長さが約１１０ｍｍ、幅が約１６ｍｍで内端部を互いに重ね合わせている。
【００２１】  一枚の板状体５と二枚の内装フィルム８１、８２は、二枚の内装フィルム８１、８２の内端部を除いた外周部で、海苔４１に干渉しないように接着している。
【００２２】  図４、図５に示すように、棒状飯用包装箱１の形成は、折り線６Ａに沿って掴み片５００を山折りに折り曲げ、一方の内装フィルム８１の上に棒状飯３を載置する。
【００２３】  次いで、折り線６Ｂ〜６Ｆ、分断可能部５１及び折り線６Ｇ〜６Ｋに沿って包装シート２を谷折りに折り曲げて棒状飯３の周囲に巻く。折り線６Ｌに沿って側面蓋片５０１〜５０８のそれぞれを谷折りに折り曲げて順次上へ上へと重ね合わせ、側面蓋片５０６〜５０８のそれぞれの一部を側面蓋片５０１の下へ挿入する。折り線６Ｍに沿って側面蓋片５０９〜５１６のそれぞれを谷折りに折り曲げて順次上へ上へと重ね合わせ、側面蓋片５１４〜５１６のそれぞれの一部を側面蓋片５０９の下へ挿入する。包装シート２の巻き始め側の外面と包装シート２の巻き終わり側の内面を互いに重ね合わせ、包装シート２の巻き終わり側の端部をラベル（図示せず）等で止着する。
【００２４】  これにより包装シート２は、横断面を多角形形状に形成し、側面蓋片５０１〜５０８と側面蓋片５０９〜５１６は、それぞれ略固定して側面を多角形形状に形成し、図１に示す棒状飯用包装箱１を形成する。
【００２５】  図６、図７に示すように、棒状飯用包装箱１の開封は、棒状飯用包装箱１を手に持ち、一方の手でラベル（図示せず）等を剥がし、包装シート２の巻き終わり側を展開して外側に引っ張る、折り曲げる等により分断可能部５１を分断し、包装シート２の巻き終わり側を外側に引っ張ると一枚の板状体５の略半分と一方の内装フィルム８２が一緒に引き剥がされ、海苔４１の一部が露出する。
【００２６】  次いで、棒状飯用包装箱１を持つ手を替え、棒状飯用包装箱１を手に持ち、一方の手で掴み片５００を掴み、包装シート２の巻き始め側を展開して外側に引っ張ると露出した海苔４１が棒状飯３の周囲に巻かれ、一枚の板状体５の略半分と一方の内装フィルム８１が一緒に引き剥がされ、残りの海苔４１が露出する。露出した海苔４１を既に棒状飯３に巻かれている海苔４１の上に巻き、棒状飯３を食べることができる。
【００２７】  上記説明は、本発明を説明するためのものであって、特許請求の範囲に記載の発明に限定し、或いは範囲を減縮するように解すべきでない。又、本発明の各部構成は、上記実施例に限らず、特許請求の範囲に記載の技術的範囲内で種々の変形が可能であることは勿論である。
【符号の説明】
【００２８】  １  棒状飯用包装箱
２  包装シート
２１  棒状飯用包装シート
３  棒状飯
４  シート状食品
５  板状体
５１  分断可能部
５００  掴み片
５０１〜５１６  側面蓋片
５Ａ〜５Ｌ  長方形面
６Ａ〜６Ｍ  折り線
７  外装フィルム
８１、８２  内装フィルム
９  補助フィルム
【図１】
2012206779.tif 000003
【図２】
2012206779.tif 000004
【図３】
2012206779.tif 000005
【図４】
2012206779.tif 000006
【図５】
2012206779.tif 000007
【図６】
2012206779.tif 000008
【図７】
2012206779.tif 000009
【図８】
2012206779.tif 000010
【図９】
2012206779.tif 000011
【図１０】
2012206779.tif 000012
【手続補正書】
【提出日】平成23年4月26日(2011.4.26)
【手続補正１】
【補正対象書類名】明細書
【補正対象項目名】０００５
【補正方法】変更
【補正の内容】
【０００５】  従来の棒状飯用包装シート２１は、包装材料が多いため棒状飯３を食べた後に出るゴミの量が多く、多くの開封作業を要するため包装した棒状飯３の開封が面倒であり、柔らかい外装フィルム７、二枚の内装フィルム８１、８２及び補助フィルム９等で形成しているため、包装した棒状飯３を複数段積み重ねると包装した棒状飯３が型崩れし易いという問題があった。
【手続補正２】
【補正対象書類名】明細書
【補正対象項目名】００１１
【補正方法】変更
【補正の内容】
【００１１】  本発明の棒状飯用包装箱は、従来の棒状飯用包装シートで使用している補助フィルムをなくし、一枚の板状体、二枚の内装フィルム及びラベル等により箱体を形成している。これにより、本発明の棒状飯用包装箱は、従来の棒状飯用包装シートに比べ、包装材料が少ないため棒状飯を食べた後に出るゴミの量を減らすことができ、開封作業が省けるため容易に開封でき、箱体を形成しているため複数段積み重ねても型崩れしにくくすることができる。
【手続補正３】
【補正対象書類名】明細書
【補正対象項目名】００１６
【補正方法】変更
【補正の内容】
【００１６】  図３に示すように、一枚の板状体５は、長手方向の略中央部にて幅方向に沿って分断可能部５１を有し、幅方向に沿って延びる折り線６Ａ〜６Ｋ（図３、図４において、鎖線で表示）と長手方向に沿って延びる折り線６Ｌ、６Ｍ（図３、図４において、鎖線で表示）を有している。一枚の板状体５は、分断可能部５１と折り線６Ａ〜６Ｍによって、長方形面５Ａ〜５Ｌ、掴み片５００及び側面蓋片５０１〜５１６に分割され、折り線６Ａを介して長方形面５Ａと掴み片５００が連接し、折り線６Ｂ〜６Ｆ、分断可能部５１及び折り線６Ｇ〜６Ｋを介して長方形面５Ａ〜５Ｌが互いに連接し、折り線６Ｌを介して長方形面５Ｃ〜５Ｊと側面蓋片５０１〜５０８が連接し、折り線６Ｍを介して長方形面５Ｃ〜５Ｊと側面蓋片５０９〜５１６が連接している。一枚の板状体５は、端部の輪郭が丸みを帯びた曲線で形成しても良い。又、一枚の板状体５は、長方形面５Ａ、５Ｂの一方又は両方に折り線を介して連接し、棒状飯包装箱１を形成した時に棒状飯３の側面の略中央部を被う側面蓋片を設けても良い。
【手続補正書】
【提出日】平成23年8月19日(2011.8.19)
【手続補正１】
【補正対象書類名】特許請求の範囲
【補正対象項目名】請求項２
【補正方法】変更
【補正の内容】
【請求項２】
前記掴み片の少なくとも一つは、前記板状体の幅方向に沿って山折りに折り曲げている、請求項１に記載の棒状飯用包装箱。
【手続補正２】
【補正対象書類名】明細書
【補正対象項目名】０００８
【補正方法】変更
【補正の内容】
【０００８】  又、前記本発明の棒状飯用包装箱において、前記掴み片の少なくとも一つは、前記板状体の幅方向に沿って山折りに折り曲げている。
【手続補正書】
【提出日】平成24年3月21日(2012.3.21)
【手続補正１】
【補正対象書類名】特許請求の範囲
【補正対象項目名】請求項１
【補正方法】変更
【補正の内容】
【請求項１】
板状体と二枚の内装シートの間にシート状食品を挟んだ包装シートを複数回折り曲げて箱体を形成し、前記箱体の内部に棒状飯を収納した棒状飯用包装箱において、前記板状体は、横方向の略中央部で縦方向に沿って分断可能部を有し、横方向の少なくとも一方の端部に掴み片を有し、縦方向の両端部に複数枚の側面蓋片を有し、前記二枚の内装シートは、前記板状体の上で横方向の一方の端部を前記板状体の分断可能部に沿って互いに重ね合わせ、前記板状体と前記二枚の内装シートは、前記二枚の内装シートの外周部で前記シート状食品に干渉しないように接着した、棒状飯用包装箱。
【手続補正２】
【補正対象書類名】特許請求の範囲
【補正対象項目名】請求項２
【補正方法】変更
【補正の内容】
【請求項２】
前記掴み片の少なくとも一つは、前記板状体の縦方向に沿って外側に折り曲げた、請求項１に記載の棒状飯用包装箱。
【手続補正３】
【補正対象書類名】特許請求の範囲
【補正対象項目名】請求項３
【補正方法】変更
【補正の内容】
【請求項３】
前記包装シートは、縦方向に沿って複数回内側に折り曲げ、前記二枚の内装シートの上で前記板状体の分断可能部に沿って載置した棒状飯の周囲に巻き、巻き終わり側の端部をラベル等で止着した、請求項１又は２に記載の棒状飯用包装箱。
【手続補正４】
【補正対象書類名】特許請求の範囲
【補正対象項目名】請求項４
【補正方法】変更
【補正の内容】
【請求項４】
前記側面蓋片の一部又は全部は、前記板状体の横方向に沿って内側に折り曲げ、左右に隣接する側面蓋片の間に挟まれ、左右に隣接する側面蓋片と互いに重ね合わせ、前記箱体の胴部の両端部を支持し、前記箱体の側面を隙間なく形成した、請求項１〜３のいずれかに記載の棒状飯用包装箱。
【手続補正５】
【補正対象書類名】明細書
【補正対象項目名】０００２
【補正方法】変更
【補正の内容】
【０００２】コンビニエンスストア等で販売している従来の棒状飯用包装シート２１について、図面に基づいて説明する。図８に示すのは、棒状飯用包装シート２１の分解図である。外装シート７は、長方形フィルム片であり、横方向の略中央部で縦方向に沿ってカットテープ等で形成し、外装シート７とラベル（図示せず）を分断する分断可能部５１を有している。二枚の内装シート８１、８２は、それぞれ長方形フィルム片であり、横方向の一方の端部を外装シート７の分断可能部５１に沿って互いに重ね合わせ、外装シート７と同じ大きさに形成している。補助シート９は、長方形フィルム片であり、一方の内装シート８１と互いに重ね合わせ、一方の内装シート８１の縦方向の両端から大きくはみ出たはみ出し部を有している。外装シート７、二枚の内装シート８１、８２及び補助シート９は、外装シート７と二枚の内装シート８１、８２の間に挟んだシート状食品４に干渉しないように接着して繋がっている。
【手続補正６】
【補正対象書類名】明細書
【補正対象項目名】０００３
【補正方法】変更
【補正の内容】
【０００３】  図９、図１０に示すように、棒状飯３の包装は、補助シート９の上に棒状飯３を載置し、補助シート９のはみ出し部を棒状飯３の側面に被せ、棒状飯用包装シート２１を棒状飯３の周囲に巻き、棒状飯用包装シート２１の巻き終わり側の端部をラベル（図示せず）で止着している。
【手続補正７】
【補正対象書類名】明細書
【補正対象項目名】０００４
【補正方法】変更
【補正の内容】
【０００４】  包装した棒状飯３の開封は、分断可能部５１のカットテープを外し、外装シート７とラベル（図示せず）を分断する。棒状飯用包装シート２１の巻き終わり側を展開して外側に引っ張ると外装シート７の略半分と他方の内装シート８２が一緒に引き剥がされ、シート状食品４の一部が露出する。補助シート９を展開し、棒状飯用包装シート２１の巻き始め側を展開して棒状飯３を転がす等により露出したシート状食品４の上に移動し、露出したシート状食品４を棒状飯３の周囲に巻く。残りの外装シート７と一方の内装シート８１の間から残りのシート状食品４を引き出し、引き出したシート状食品４を既に棒状飯３に巻いているシート状食品４の上に巻き、棒状飯３を食べることができる。
【手続補正８】
【補正対象書類名】明細書
【補正対象項目名】０００５
【補正方法】変更
【補正の内容】
【０００５】コンビニエンスストア等で販売している従来の棒状飯用包装シート２１は、包装材料が多いため棒状飯３を食べた後に出るゴミの量が多く、開封作業が多いため包装した棒状飯３の開封が面倒であり、柔らかい、外装シート７、二枚の内装シート８１、８２及び補助シート９等で形成しているため、包装した棒状飯３を複数段積み重ねると包装した棒状飯３が型崩れし易いという問題があった。
【手続補正９】
【補正対象書類名】明細書
【補正対象項目名】０００７
【補正方法】変更
【補正の内容】
【０００７】  本発明の棒状飯用包装箱は、板状体と二枚の内装シートの間にシート状食品を挟んだ包装シートを複数回折り曲げて箱体を形成し、前記箱体の内部に棒状飯を収納した棒状飯用包装箱において、前記板状体は、横方向の略中央部で縦方向に沿って分断可能部を有し、横方向の少なくとも一方の端部に掴み片を有し、縦方向の両端部に複数枚の側面蓋片を有し、前記二枚の内装シートは、前記板状体の上で横方向の一方の端部を前記板状体の分断可能部に沿って互いに重ね合わせ、前記板状体と前記二枚の内装シートは、前記二枚の内装シートの外周部で前記シート状食品に干渉しないように接着している。
【手続補正１０】
【補正対象書類名】明細書
【補正対象項目名】０００８
【補正方法】変更
【補正の内容】
【０００８】  又、前記本発明の棒状飯用包装箱において、前記掴み片の少なくとも一つは、前記板状体の縦方向に沿って外側に折り曲げている。
【手続補正１１】
【補正対象書類名】明細書
【補正対象項目名】０００９
【補正方法】変更
【補正の内容】
【０００９】  又、前記本発明の棒状飯用包装箱において、前記包装シートは、縦方向に沿って複数回内側に折り曲げ、前記二枚の内装シートの上で前記板状体の分断可能部に沿って載置した棒状飯の周囲に巻き、巻き終わり側の端部をラベル等で止着している。
【手続補正１２】
【補正対象書類名】明細書
【補正対象項目名】００１０
【補正方法】変更
【補正の内容】
【００１０】  又、前記本発明の棒状飯用包装箱において、前記側面蓋片の一部又は全部は、前記板状体の横方向に沿って内側に折り曲げ、左右に隣接する側面蓋片の間に挟まれ、左右に隣接する側面蓋片と互いに重ね合わせ、前記箱体の胴部の両端部を支持し、前記箱体の側面を隙間なく形成している。
【手続補正１３】
【補正対象書類名】明細書
【補正対象項目名】００１１
【補正方法】変更
【補正の内容】
【００１１】  本発明の棒状飯用包装箱は、コンビニエンスストア等で販売している従来の棒状飯用包装シートで使用している補助シートをなくし、板状体、二枚の内装シート及びラベル等により箱体を形成している。これにより、本発明の棒状飯用包装箱は、従来の棒状飯用包装シートに比べ、包装材料が少ないため棒状飯を食べた後に出るゴミの量を減らすことができ、開封作業が少ないため容易に開封でき、箱体を形成しているため複数段積み重ねても型崩れしにくくすることができる。
【手続補正１４】
【補正対象書類名】明細書
【補正対象項目名】００１２
【補正方法】変更
【補正の内容】
【００１２】
【図１】本発明の棒状飯用包装箱の一実施態様を示す斜視図
【図２】包装シートを示す分解斜視図
【図３】図１に示す棒状飯用包装箱を展開した状態の包装シートを示す正面図
【図４】一方の内装シートの上に棒状飯を載置した状態を示す斜視図
【図５】棒状飯用包装箱を形成する途中の状態を示す斜視図
【図６】包装シートの巻き終わり側を外側に引っ張っている状態を示す断面図
【図７】包装シートの巻き始め側を外側に引っ張っている状態を示す断面図
【図８】従来の棒状飯用包装シートを示す分解斜視図
【図９】補助シートの上に棒状飯を載置した状態を示す斜視図
【図１０】包装した棒状飯の開封の状態を示す断面図
【手続補正１５】
【補正対象書類名】明細書
【補正対象項目名】００１５
【補正方法】変更
【補正の内容】
【００１５】  図２に示すように、包装シート２は、板状体５と二枚の内装シート８１、８２の間にシート状食品４を挟んでいる。シート状食品４は、実施例ではシート状海苔４１（以下、単に「海苔」とする）であり、横方向の長さが約１７０ｍｍ、縦方向の長さが約１００ｍｍである。板状体５は、実施例では横方向の長さが約２２０ｍｍ、縦方向の長さが約１９２ｍｍである。二枚の内装シート８１、８２は、実施例ではそれぞれ、横方向と縦方向の長さが約１１０ｍｍの正方形である。
【手続補正１６】
【補正対象書類名】明細書
【補正対象項目名】００１６
【補正方法】変更
【補正の内容】
【００１６】  図３に示すように、板状体５は、横方向の略中央部で縦方向に沿って分断可能部５１を有し、縦方向に沿って延びる折り線６Ａ〜６Ｋ（図３、図４において、鎖線で表示）と横方向に沿って延びる折り線６Ｌ、６Ｍ（図３、図４において、鎖線で表示）を有している。板状体５は、分断可能部５１と折り線６Ａ〜６Ｍによって、箱体の胴部を形成する長方形面５Ａ〜５Ｌ、掴み片５００及び箱体の側面を形成する側面蓋片５０１〜５１６に分割され、折り線６Ａを介して長方形面５Ａと掴み片５００が連接し、折り線６Ｂ〜６Ｆ、分断可能部５１及び折り線６Ｇ〜６Ｋを介して長方形面５Ａ〜５Ｌが互いに連接し、折り線６Ｌを介して長方形面５Ｃ〜５Ｊと側面蓋片５０１〜５０８が連接し、折り線６Ｍを介して長方形面５Ｃ〜５Ｊと側面蓋片５０９〜５１６が連接している。板状体５は、端部の輪郭が丸みを帯びた曲線で形成しても良い。又、板状体５は、長方形面５Ａ、５Ｂの一方又は両方に折り線を介して連接し、棒状飯包装箱１を形成した時に棒状飯３の側面の略中央部を被う側面蓋片を設けても良い。
【手続補正１７】
【補正対象書類名】明細書
【補正対象項目名】００１７
【補正方法】変更
【補正の内容】
【００１７】板状体５の材質は、折り曲げ可能であり、フィルム、紙等と接着可能であり、包装箱として使用可能なものであれば何でも良い。例えば、クラフト紙、合成紙、プラスチックシート等が挙げられる。板状体５の厚さは、０．２ｍｍ〜０．５ｍｍ程度のものが好ましい。
【手続補正１８】
【補正対象書類名】明細書
【補正対象項目名】００１８
【補正方法】変更
【補正の内容】
【００１８】  分断可能部５１は、実施例では断続的な切り込みを施して形成している。掴み片５００は、実施例では横方向の長さが約１６ｍｍ、縦方向の長さが約５０ｍｍである。長方形面５Ａ〜５Ｌは、実施例ではそれぞれ、横方向の長さが約１７ｍｍ、縦方向の長さが約１１０ｍｍである。
【手続補正１９】
【補正対象書類名】明細書
【補正対象項目名】００１９
【補正方法】変更
【補正の内容】
【００１９】側面蓋片５０１〜５１６は、実施例ではそれぞれ等脚台形であり、高さが約１６ｍｍ、上底の長さが約３１ｍｍ、下底の長さが約４４ｍｍ、斜辺の長さが約１７ｍｍ、内角が６７．５°と１１２．５°である。側面蓋片５０１〜５１６は、端部の輪郭が丸みを帯びた曲線で形成しても良い。
【手続補正２０】
【補正対象書類名】明細書
【補正対象項目名】００２０
【補正方法】変更
【補正の内容】
【００２０】二枚の内装シート８１、８２は、実施例では板状体５の上で横方向の長さが約１６ｍｍ、縦方向の長さが約１１０ｍｍで横方向の一方の端部を板状体５の分断可能部５１に沿って互いに重ね合わせている。二枚の内装シート８１、８２の材質は、両面に均一に凹凸が施された、エンボスフィルム、エンボス紙等が良い。
【手続補正２１】
【補正対象書類名】明細書
【補正対象項目名】００２１
【補正方法】変更
【補正の内容】
【００２１】板状体５と二枚の内装シート８１、８２は、二枚の内装シート８１、８２の外周部で海苔４１に干渉しないように接着している。二枚の内装シート８１、８２の横方向の一方の端部の互いの重ね合わせ部は、板状体５と接着していない。
【手続補正２２】
【補正対象書類名】明細書
【補正対象項目名】００２２
【補正方法】変更
【補正の内容】
【００２２】  図４、図５に示すように、棒状飯用包装箱１の形成は、折り線６Ａに沿って掴み片５００を外側に折り曲げる。棒状飯３は、実施例では一方の内装シート８１の上で板状体５の分断可能部５１に沿って載置している。
【手続補正２３】
【補正対象書類名】明細書
【補正対象項目名】００２３
【補正方法】変更
【補正の内容】
【００２３】  次いで、折り線６Ｂ〜６Ｆ、分断可能部５１及び折り線６Ｇ〜６Ｋに沿って包装シート２を内側に折り曲げて棒状飯３の周囲に巻く。折り線６Ｌに沿って側面蓋片５０１〜５０８をそれぞれ内側に折り曲げ、側面蓋片５０１の上に側面蓋片５０２、側面蓋片５０２の上に側面蓋片５０３と順次上へ上へと重ね合わせ、側面蓋片５０６〜５０８のそれぞれの一部を側面蓋片５０１の下へ挿入する。同様に折り線６Ｍに沿って側面蓋片５０９〜５１６をそれぞれ内側に折り曲げ、側面蓋片５０９の上に側面蓋片５１０、側面蓋片５１０の上に側面蓋片５１１と順次上へ上へと重ね合わせ、側面蓋片５１４〜５１６のそれぞれの一部を側面蓋片５０９の下へ挿入する。包装シート２の巻き始め側の外面と包装シート２の巻き終わり側の内面を互いに重ね合わせ、包装シート２の巻き終わり側の端部をラベル（図示せず）等で止着する。ラベル（図示せず）等は、包装シート２から容易に剥離できる。
【手続補正２４】
【補正対象書類名】明細書
【補正対象項目名】００２４
【補正方法】変更
【補正の内容】
【００２４】これにより側面蓋片５０１〜５０８と側面蓋片５０９〜５１６は、それぞれ一方の斜辺部が長方形面５Ａ〜５Ｈの内面に接して、箱体の胴部の両端部を支持し、それぞれ下底部の一部が箱体の側面の略中央で接して、箱体の側面を隙間なく形成し、図１に示す棒状飯用包装箱１を形成する。
【手続補正２５】
【補正対象書類名】明細書
【補正対象項目名】００２５
【補正方法】変更
【補正の内容】
【００２５】  図６、図７に示すように、棒状飯用包装箱１の開封は、棒状飯用包装箱１を手に持ち、一方の手でラベル（図示せず）等を剥がして包装シート２の巻き終わり側を展開すると、側面蓋片５０６〜５０８のそれぞれの一部が側面蓋片５０１の下から引き抜けるとともに、側面蓋片５１４〜５１６のそれぞれの一部が側面蓋片５０９の下から引き抜ける。一方の手で包装シート２の巻き終わり側を外側に引っ張る、折り曲げる等により分断可能部５１を分断して包装シート２の巻き終わり側を外側に引っ張りながら、他方の手に持った棒状飯用包装箱１を包装シート２の巻き終わり側の引っ張りに合わせて回転させると、板状体５の略半分と他方の内装シート８２が一緒に引き剥がされ、海苔４１の一部が露出する。
【手続補正２６】
【補正対象書類名】明細書
【補正対象項目名】００２６
【補正方法】変更
【補正の内容】
【００２６】  次いで、残りの棒状飯用包装箱１を一方の手に持ち替え、他方の手で掴み片５００を掴んで包装シート２の巻き始め側を展開しながら外側に引っ張り、一方の手に持った残りの棒状飯用包装箱１を包装シート２の巻き始め側の引っ張りに合わせて回転させると、露出した海苔４１を棒状飯３の周囲に巻くことができ、残りの板状体５と一方の内装シート８１が一緒に引き剥がされ、残りの海苔４１が露出する。露出した海苔４１を既に棒状飯３に巻いている海苔４１の上に巻き、棒状飯３を食べることができる。
【手続補正２７】
【補正対象書類名】明細書
【補正対象項目名】００２８
【補正方法】変更
【補正の内容】
【００２８】１  棒状飯用包装箱
２  包装シート
２１  従来の棒状飯用包装シート
３  棒状飯
４  シート状食品
４１  シート状海苔
５  板状体
５１  分断可能部
５００  掴み片
５０１〜５１６  側面蓋片
５Ａ〜５Ｌ  長方形面
６Ａ〜６Ｍ  折り線
７  外装シート
８１、８２  内装シート
９  補助シート
【手続補正書】
【提出日】平成24年6月26日(2012.6.26)
【手続補正１】
【補正対象書類名】特許請求の範囲
【補正対象項目名】請求項１
【補正方法】変更
【補正の内容】
【請求項１】
板状体と二枚の内装シートの間にシート状食品を挟んだ包装シートを折り曲げ加工して箱体を形成し、前記箱体の内部に棒状飯を収納した棒状飯用包装箱において、前記板状体は、横方向の略中央部に分断可能部を有し、前記分断可能部と縦方向に互いに平行に延びる複数本の折り線又は縦方向に互いに平行に延びる多数本の折り線を介して、互いに連接した複数個の長方形面を有し、縦方向に延びる折り線を介して、前記複数個の長方形面の横方向の少なくとも一方の端部の長方形面に連接した掴み片を有し、横方向に延びる複数本の折り線を介して、前記複数個の長方形面の縦方向の両端の一部に連接した複数枚の側面蓋片を有し、前記二枚の内装シートは、前記板状体の上で横方向の一方の端部を互いに重ね合わせ、前記板状体と前記二枚の内装シートは、前記二枚の内装シートの外周部で前記シート状食品に干渉しないように接着した、棒状飯用包装箱。
【手続補正２】
【補正対象書類名】特許請求の範囲
【補正対象項目名】請求項２
【補正方法】変更
【補正の内容】
【請求項２】
前記掴み片の少なくとも一つは、前記縦方向に延びる折り線に沿って外側に折り曲げた、請求項１に記載の棒状飯用包装箱。
【手続補正３】
【補正対象書類名】特許請求の範囲
【補正対象項目名】請求項３
【補正方法】変更
【補正の内容】
【請求項３】
前記包装シートは、前記分断可能部と前記縦方向に互いに平行に延びる複数本の折り線又は前記縦方向に互いに平行に延びる多数本の折り線に沿って内側に折り曲げ、前記二枚の内装シートの上で前記板状体の縦方向に沿って載置した棒状飯の周囲に巻き、巻き終わり側の端部をラベル等で止着した、請求項１又は２に記載の棒状飯用包装箱。
【手続補正４】
【補正対象書類名】特許請求の範囲
【補正対象項目名】請求項４
【補正方法】変更
【補正の内容】
【請求項４】
前記複数枚の側面蓋片の一部又は全部は、前記横方向に延びる複数本の折り線に沿って内側に折り曲げ、左右に隣接する側面蓋片の間に挟まるように互いに重ね合わせ、一側辺が前記箱体の両側面の中央で交差し、前記箱体の胴部の両端部を支持し、前記箱体の両側面を形成した、請求項１〜３のいずれかに記載の棒状飯用包装箱。
【手続補正５】
【補正対象書類名】明細書
【補正対象項目名】０００２
【補正方法】変更
【補正の内容】
【０００２】  コンビニエンスストア等で販売している従来の棒状飯用包装シート２１について、図面に基づいて説明する。図８に示すのは、棒状飯用包装シート２１の分解図である。外装シート７は、長方形フィルム片であり、横方向の略中央部に縦方向に延びるカットテープ等で形成した分断可能部５１を有している。二枚の内装シート８１、８２は、それぞれ長方形フィルム片であり、横方向の一方の端部を外装シート７の分断可能部５１に沿って互いに重ね合わせ、外装シート７と同じ大きさに形成している。補助シート９は、長方形フィルム片であり、一方の内装シート８１の上に重ね合わせ、一方の内装シート８１の縦方向の両端から大きくはみ出たはみ出し部を有している。外装シート７、二枚の内装シート８１、８２及び補助シート９は、外装シート７と二枚の内装シート８１、８２の間に挟んだシート状食品４に干渉しないように接着して繋がっている。
【手続補正６】
【補正対象書類名】明細書
【補正対象項目名】０００７
【補正方法】変更
【補正の内容】
【０００７】  本発明の棒状飯用包装箱は、板状体と二枚の内装シートの間にシート状食品を挟んだ包装シートを折り曲げ加工して箱体を形成し、前記箱体の内部に棒状飯を収納した棒状飯用包装箱において、前記板状体は、横方向の略中央部に分断可能部を有し、前記分断可能部と縦方向に互いに平行に延びる複数本の折り線又は縦方向に互いに平行に延びる多数本の折り線を介して、互いに連接した複数個の長方形面を有し、縦方向に延びる折り線を介して、前記複数個の長方形面の横方向の少なくとも一方の端部の長方形面に連接した掴み片を有し、横方向に延びる複数本の折り線を介して、前記複数個の長方形面の縦方向の両端の一部に連接した複数枚の側面蓋片を有し、前記二枚の内装シートは、前記板状体の上で横方向の一方の端部を互いに重ね合わせ、前記板状体と前記二枚の内装シートは、前記二枚の内装シートの外周部で前記シート状食品に干渉しないように接着している。
【手続補正７】
【補正対象書類名】明細書
【補正対象項目名】０００８
【補正方法】変更
【補正の内容】
【０００８】  又、前記本発明の棒状飯用包装箱において、前記掴み片の少なくとも一つは、前記縦方向に延びる折り線に沿って外側に折り曲げている。
【手続補正８】
【補正対象書類名】明細書
【補正対象項目名】０００９
【補正方法】変更
【補正の内容】
【０００９】  又、前記本発明の棒状飯用包装箱において、前記包装シートは、前記分断可能部と前記縦方向に互いに平行に延びる複数本の折り線又は前記縦方向に互いに平行に延びる多数本の折り線に沿って内側に折り曲げ、前記二枚の内装シートの上で前記板状体の縦方向に沿って載置した棒状飯の周囲に巻き、巻き終わり側の端部をラベル等で止着している。
【手続補正９】
【補正対象書類名】明細書
【補正対象項目名】００１０
【補正方法】変更
【補正の内容】
【００１０】  又、前記本発明の棒状飯用包装箱において、前記複数枚の側面蓋片の一部又は全部は、前記横方向に延びる複数本の折り線に沿って内側に折り曲げ、左右に隣接する側面蓋片の間に挟まるように互いに重ね合わせ、一側辺が前記箱体の両側面の中央で交差し、前記箱体の胴部の両端部を支持し、前記箱体の両側面を形成している。
【手続補正１０】
【補正対象書類名】明細書
【補正対象項目名】００１４
【補正方法】変更
【補正の内容】
【００１４】  図１に示すように、棒状飯用包装箱１は、包装シート２を折り曲げ加工して箱体を形成し、箱体の内部に棒状飯３を収納している。棒状飯用包装箱１は、実施例では八角柱体であり、高さが約４２ｍｍ、長さが約１１０ｍｍ、側面の一辺の長さが約１７ｍｍである。棒状飯３は、実施例では円柱体であり、直径が約４０ｍｍ、長さが約１００ｍｍである。
【手続補正１１】
【補正対象書類名】明細書
【補正対象項目名】００１６
【補正方法】変更
【補正の内容】
【００１６】  図３に示すように、板状体５は、横方向の略中央部に、縦方向に延びる分断可能部５１を有し、縦方向に延びる折り線６Ａ、縦方向に互いに平行に延びる折り線６Ｂ〜６Ｋ及び横方向に延びる折り線６Ｌ、６Ｍ（図３、図４において、鎖線で表示）を有している。板状体５は、長方形面５Ａ〜５Ｌ、掴み片５００及び側面蓋片５０１〜５１６を有し、折り線６Ａを介して、長方形面５Ａに掴み片５００が連接し、折り線６Ｂ〜６Ｆ、分断可能部５１及び折り線６Ｇ〜６Ｋを介して、長方形面５Ａ〜５Ｌが互いに連接し、折り線６Ｌを介して、長方形面５Ｃ〜５Ｊに側面蓋片５０１〜５０８が連接し、折り線６Ｍを介して、長方形面５Ｃ〜５Ｊに側面蓋片５０９〜５１６が連接している。板状体５は、端部の輪郭が丸みを帯びた曲線で形成しても良い。又、板状体５は、長方形面５Ａ、５Ｂの一方又は両方に折り線を介して連接し、棒状飯包装箱１を形成した時に棒状飯３の側面の略中央部を被う側面蓋片を設けても良い。
【手続補正１２】
【補正対象書類名】明細書
【補正対象項目名】００１８
【補正方法】変更
【補正の内容】
【００１８】  分断可能部５１は、実施例では縦方向に延びる、断続的な切り込みを施して形成している。分断可能部５１は、１個の長方形面（例えば５Ｆ）又は複数個の長方形面（例えば５Ｆ、５Ｇ）の一方の対角線方向に設けても良い。この場合、板状体５は、実施例の分断可能部５１と同位置に、縦方向に延びる折り線を有することになる。
【手続補正１３】
【補正対象書類名】明細書
【補正対象項目名】００１９
【補正方法】変更
【補正の内容】
【００１９】掴み片５００は、実施例では横方向の長さが約１６ｍｍ、縦方向の長さが約５０ｍｍである。長方形面５Ａ〜５Ｌは、実施例ではそれぞれ、横方向の長さが約１７ｍｍ、縦方向の長さが約１１０ｍｍである。側面蓋片５０１〜５１６は、実施例ではそれぞれ等脚台形であり、高さが約１６ｍｍ、上底の長さが約３１ｍｍ、下底の長さが約４４ｍｍ、斜辺の長さが約１７ｍｍ、内角が６７．５°と１１２．５°である。側面蓋片５０１〜５１６は、端部の輪郭が丸みを帯びた曲線で形成しても良い。
【手続補正１４】
【補正対象書類名】明細書
【補正対象項目名】００２２
【補正方法】変更
【補正の内容】
【００２２】  図４、図５に示すように、棒状飯用包装箱１の形成は、折り線６Ａに沿って掴み片５００を外側に折り曲げる。棒状飯３は、二枚の内装シート８１、８２の上で板状体５の縦方向に沿って載置している。
【手続補正１５】
【補正対象書類名】明細書
【補正対象項目名】００２４
【補正方法】変更
【補正の内容】
【００２４】  これにより側面蓋片５０１〜５１６は、下底が箱体の両側面の中央で交差し、一方の斜辺部が長方形面５Ａ〜５Ｈの内面に接して、箱体の胴部の両端部を支持し、箱体の両側面を形成している。